(57)【特許請求の範囲】
【請求項１】
薬液が含侵され、所定回数折り畳まれた矩形状の家庭用薄葉紙であって、
当該家庭用薄葉紙の全面にエンボスが長手方向及び短手方向に所定のピッチで配列されて形成され、
前記エンボスの膨出部の頂点同士が当接するように、かつ中心からずれた位置で折り畳まれてなり、
前記エンボスは、紙の漉き目の方向に短尺な楕円形状であり、短手方向にくびれ部を有する、ひょうたん形状であることを特徴とする家庭用薄葉紙。
【請求項２】
互いに隣接する前記エンボスの裾の部分を通過する長手方向又は短手方向に平行な直線以外の長手方向又は短手方向に平行な直線を折り目として折り畳まれていることを特徴とする請求項１に記載の家庭用薄葉紙。
【請求項３】
前記エンボスの膨出部の高さが０．４０ｍｍ〜０．７５ｍｍであることを特徴とする請求項１又は２に記載の家庭用薄葉紙。
【請求項４】
薬液が含侵され、所定回数折り畳まれた矩形状の家庭用薄葉紙の製造方法であって、
当該家庭用薄葉紙の全面にエンボスが長手方向及び短手方向に所定のピッチで配列するように形成するエンボス工程と、
前記エンボスの膨出部の頂点同士が当接するように、かつ中心からずれた位置で折り畳む折り畳み工程と、を有し、
前記エンボスは、紙の漉き目の方向に短尺な楕円形状であり、短手方向にくびれ部を有する、ひょうたん形状である
ことを特徴とする家庭用薄葉紙の製造方法。
【発明の詳細な説明】
【技術分野】
【０００１】
本発明は、家庭用薄葉紙及び家庭用薄葉紙の製造方法に関する。
【背景技術】
【０００２】
現在、トイレクリーナーやキッチンクリーナー等の家庭用薄葉紙は、風合い、吸収性及び嵩高性等を向上させるために、クレープ紙などの原紙を複数枚プライ加工して１枚のシートとしたものが一般的に使用されている。そして、このような家庭用薄葉紙の表面強度や嵩高性を高めるためにエンボス加工を施している。
【０００３】
例えば、特許文献１には、水分を包含した状態でエンボス加工をすることにより、嵩高なエンボス加工を施した後に引っ張ってもエンボス潰れが発生しにくく厚みを保持できる嵩高紙が開示されている。
【０００４】
また、例えば、特許文献２には、直線形エンボスが、格子パターンを成すよう複数形成され、格子パターンによって囲まれるそれぞれの格子部に、六角形エンボスが、亀甲パターンを成すよう複数形成されていることにより、粉塵、粘度の高いグリス、粘度の低い水等の拭き取り性、吸収性に優れ、且つ紙粉の発生量が少ない産業用ワイプが開示されている。
【先行技術文献】
【特許文献】
【０００５】
【特許文献１】特開２００８−０９４０６７号公報
【特許文献２】特開２０１２−１０６１２３号公報
【発明の概要】
【発明が解決しようとする課題】
【０００６】
しかしながら、特許文献１及び２に記載された家庭用薄葉紙は折り畳まれて、保管用のプラスチックケースや包装フィルム内等に収納された状態で出荷され、消費者に使用されるまでにはかなりの時間を要するため、家庭用薄葉紙の嵩高さが少なくなってしまう場合がある。
【０００７】
また、例えば、折り畳んでプラスチックケース等に収納することによりエンボス自体が潰れてしまったり、或いは、折り畳んだ際に、下側にあるエンボスの膨出部が上側のエンボスがない部分（窪み）に入り込んでしまい、エンボス加工による嵩高効果が相殺されて、折り畳まれた家庭用薄葉紙の嵩高さが少なくなってしまう場合がある。
【０００８】
このため、拭き掃除の時に手肉感（家庭用薄葉紙を指（親指と人差し指）で挟んだ時の、「ボリューム感」や「しっかりした感触」）が足りずに、消費者が手の汚れを心配してしまったり、折り畳まれた家庭用薄葉紙を一度広げて使用する消費者にとっては、嵩高さが少ないため家庭用薄葉紙を広げにくくなってしまうといった問題点があった。
【０００９】
本発明の課題は、折り畳まれた状態でも嵩高さを維持することができる家庭用薄葉紙及び家庭用薄葉紙の製造方法を提供することにある。
【課題を解決するための手段】
【００１０】
前記課題を解決するために、請求項１記載の発明は、
薬液が含侵され、所定回数折り畳まれた矩形状の家庭用薄葉紙であって、
当該家庭用薄葉紙の全面にエンボスが長手方向及び短手方向に所定のピッチで配列されて形成され、
前記エンボスの膨出部の頂点同士が当接するように、かつ中心からずれた位置で折り畳まれてなり、
前記エンボスは、紙の漉き目の方向に短尺な楕円形状であり、短手方向にくびれ部を有する、ひょうたん形状であることを特徴とする。
【００１１】
請求項２記載の発明は、請求項１に記載の家庭用薄葉紙において、
互いに隣接する前記エンボスの裾の部分を通過する長手方向又は短手方向に平行な直線以外の長手方向又は短手方向に平行な直線を折り目として折り畳まれていることを特徴とする。
【００１４】
請求項３記載の発明は、請求項１又は２記載の家庭用薄葉紙にいて、
前記エンボスの膨出部の高さが０．４０ｍｍ〜０．７５ｍｍであることを特徴とする。
【００１５】
請求項４記載の発明は、薬液が含侵され、所定回数折り畳まれた矩形状の家庭用薄葉紙の製造方法であって、
当該家庭用薄葉紙の全面にエンボスが長手方向及び短手方向に所定のピッチで配列するように形成するエンボス工程と、
前記エンボスの膨出部の頂点同士が当接するように、かつ中心からずれた位置で折り畳む折り畳み工程と、を有し、
前記エンボスは、紙の漉き目の方向に短尺な楕円形状であり、短手方向にくびれ部を有する、ひょうたん形状であることを特徴とする。
【発明の効果】
【００１６】
本発明によれば、所定回数折り畳まれた矩形状の家庭用薄葉紙であって、当該家庭用薄葉紙の全面にエンボスが長手方向及び短手方向に所定のピッチで配列されて形成され、エンボスの膨出部の頂点同士が当接するように折り畳まれてなることにより、折り畳んだ際に、エンボスの膨出部の頂点同士が当接して、一方の側にあるエンボスの膨出部が他方の側のエンボスがない部分（窪み）に入り込まないので、折り畳まれた状態でも嵩高さを維持することができる家庭用薄葉紙を提供することができる。
【図面の簡単な説明】
【００１７】
【図１】実施形態の家庭用薄葉紙の一例を示す平面図である。
【図２】折り畳まれた家庭用薄葉紙のエンボス部分の断面図である。
【図３】実施形態の家庭用薄葉紙の他の一例を示す平面図である。
【図４】実施例及び比較例のエンボスの形状及び配置の一例を示す説明図である。
【発明を実施するための形態】
【００１８】
以下、図面を参照しつつ、本発明の実施形態である家庭用薄葉紙を詳細に説明する。但し、発明の範囲は、図示例に限定されない。
【００１９】
なお、本発明である家庭用薄葉紙において、家庭用薄葉紙はトイレクリーナー１００を一例にして説明するが、本発明の家庭用薄葉紙にはトイレクリーナー以外の清拭用途の水や薬液を含浸させたウェットティシューやドライな清拭用途のキッチンペーパーやティシューペーパーなども含まれる。また、トイレクリーナー１００の短手方向をＸ方向、トイレクリーナー１００の長手方向をＹ方向として説明する。
【００２０】
また、トイレクリーナー１００のＸ方向は、抄紙機上の紙の進行（漉き目の）方向（マシン方向（ＭＤ方向）：machine direction）であり、トイレクリーナー１００のＹ方向は、抄紙機の幅（流れ目に直角）方向（クロスマシン方向（ＣＤ方向）、cross machine direction）である。
【００２１】
（実施形態）
本実施形態によって製造されるトイレクリーナー１００は、複数枚の原紙がプライ加工（積層）されたものであって、所定の薬液が塗布されている。また、トイレクリーナー１００のシート全面には、図１に示す通り、紙の漉き目の方向に短尺な楕円形状のエンボス加工が施されている。
【００２２】
また、トイレクリーナー１００は、折り畳み加工されることにより、例えば、長手方向（Ｙ方向）の中央部で２つ折りに折り畳まれる。そして、折り畳まれた状態で保管用のプラスチックケースや包装フィルム内等に保管され、使用時には必要に応じて広げて使用される。なお、トイレクリーナー１００の折り畳み方は、２つ折りに限ることはなく、例えば、４つ折りにしても良く８つ折りにしても良い。
【００２３】
また、本実施形態のトイレクリーナー１００は、トイレを掃除した後、そのまま便器の水溜りに廃棄できるように、水解性の繊維集合体から構成されている。
【００２４】
繊維集合体としては、天然繊維、合成繊維又はこれらを混合した繊維等を使用することができ、水解性を有する繊維集合体であれば特に限定されることはない。好適な原料繊維としては、木材パルプ、非木材パルプ、レーヨン、コットン等のセルロース系繊維、ポリ乳酸などからなる生分解性繊維等があげられる。また、基材の強度を向上させるために、紙力増強剤としてポリビニルアルコール（ＰＶＡ）やカルボキシメチルセルロース（ＣＭＣ）等を配合若しくは塗工・塗布してもよい。
【００２５】
また、本実施形態のトイレクリーナー１００には、所定の薬液が塗布されており、具体的には、水性洗浄剤の他、香料、防腐剤、除菌剤、紙力増強剤等の補助剤を含む所定の薬液が塗布されている。
【００２６】
薬液としては、適宜のものを使用することができ、例えば、水性洗浄剤としては、界面活性剤の他、低級又は高級（脂肪族）アルコールを使用することができる。香料としては、水性香料の他、オレンジオイル等の油性香料の中から、一種又は数種を適宜選択して使用することができる。防腐剤としては、例えば、メチルパラベン、エチルパラベン、プロピルパラベン等のパラベン類を使用することができる。除菌剤としては、アルコール、パラオキシ安息香酸エステル、モノマーの四級アンモニウム塩、塩化セチルピリジニウム、フェノキシエタノール等を使用することができる。紙力増強剤としては、ホウ酸、種々の金属イオン等を使用することができる。
【００２７】
また、上述した薬液の成分の補助剤については適宜選択可能であり、必要に応じて他の機能を果たす成分を薬液に含ませてもよい。
【００２８】
このようなトイレクリーナー１００を折り加工する際に、トイレクリーナー１００の長手方向の中心部を折り目として折り畳むのではなく、例えば、図１に示すトイレクリーナー１００の短手方向（Ｘ方向）に平行なＡ−Ａ直線を折り目として、トイレクリーナー１００を折り畳む。
【００２９】
すなわち、互いに隣接するエンボスＥＭ１１を繋ぐ短手方向に平行な直線（Ａ−Ａ直線
）を折り目として、トイレクリーナー１００を折り曲げた場合、Ｙ−Ｙにおけるエンボス部分の断面は、図２（ａ）に示すようになり、エンボスＥＭ１１の膨出部ＰＲ２１の頂点同士が当接して、折り畳まれた状態でも嵩高さを維持することができる。また、トイレクリーナー１００の長手方向の中心部を折り目として折り畳まないため、折り畳んだ際に、端部で折りずれの幅が発生するので、折り畳まれたトイレクリーナー１００の広げやすさも向上する。
【００３０】
或いは、トイレクリーナー１００を折り加工する際に、例えば、図１に示すトイレクリーナー１００の短手方向（Ｘ方向）に平行なＢ−Ｂ直線を折り目として、トイレクリーナー１００を折り畳んでもよい。また、長手方向（Ｙ方向）に平行なＹ−Ｙ直線で折り畳んでもよい。
【００３１】
すなわち、互いに隣接するエンボスＥＭ１１の中央部分を繋ぐ短手方向に平行な直線（Ｂ−Ｂ直線）を折り目として、トイレクリーナー１００を折り畳んだ場合、Ｙ−Ｙにおけるエンボス部分の断面は、図２（ｂ）に示すようになり、図２（ａ）と同様に、エンボスＥＭ１１の膨出部ＰＲ２１の頂点同士が当接して、折り畳まれた状態でも嵩高さを維持することができる。また、トイレクリーナー１００の長手方向の中心部を折り目として折り畳まないため、折り畳んだ際に、端部で折りずれの幅が発生するので、折り畳まれたトイレクリーナー１００の広げやすさも向上する。
【００３２】
これに対して、例えば、エンボスＥＭ１１の裾の部分を繋ぐ短手方向に平行なＣ−Ｃ直線を折り目として、トイレクリーナー１００を折り畳んだ場合、図２（ｃ）に示すように、下側（一方の側）にあるエンボスＥＭ１１の膨出部ＰＲ２１が、上側（他方の側）のエンボスＥＭ１１がない窪み部分ＣＶ２１に入り込んでしまい、エンボス加工による嵩高効果が相殺されて、折り畳まれたトイレクリーナー１００の嵩高さが少なくなってしまう。
【００３３】
すなわち、互いに隣接するエンボスＥＭ１１の膨出部を通過する短手方向に平行な直線を折り目として、トイレクリーナー１００を折り畳むことにより、エンボスＥＭ１１の膨出部の頂点同士が当接するので、折り畳まれた状態でも嵩高さを維持することができる。
【００３４】
なお、エンボスＥＭ１１の形状として、紙の漉き目の方向に短尺な楕円形状を例示しているが、図３に示すトイレクリーナー１０１のように、紙の漉き目の方向に短尺な楕円形状であり、且つ、短手方向にくびれ部を有する形状、所謂、ひょうたん形状のエンボスＥＭ３１が好ましい。
【００３５】
すなわち、ひょうたん形状のエンボスＥＭ３１にした場合、紙の漉き目の方向に短尺な楕円形状のエンボスＥＭ１１と比較して、短手方向のくびれ部の効果により、一方の側にあるエンボスＥＭ３１の膨出部が他方の側のエンボスがない窪み部分ＣＶ２１により入り込みにくくなるので、折り畳まれた状態でも嵩高さを維持することができる。また、トイレクリーナー１００の長手方向の中心部を折り目として折り畳まないため、折り畳んだ際に、端部で折りずれの幅が発生する。
【００３６】
次に、比較例１〜３のような、くびれ部のない従来のエンボスを施したトイレクリーナーと、本実施形態の互いに隣接するエンボスＥＭ１１を繋ぐ短手方向に平行な直線、或いは、互いに隣接するエンボスＥＭ１１の中心部分を繋ぐ短手方向に平行な直線を折り目として折り畳まれたトイレクリーナー１００とについて、嵩高さ、広げやすさを評価した結果を説明する（表１参照）。
【００３７】
なお、実施例１については、ひょうたん形状のエンボスを形成し、エンボスを菱形格子に配列したものを評価した。また、実施例２は、紙の漉き目の方向及びその直角な方向に
くびれ部を有する形状のエンボスを形成し、エンボスを菱形格子に配列したものを評価した。さらに、比較例１は、楕円形状のエンボスを形成し、エンボスを菱形格子に配列したもの、比較例２は、円形状のエンボスを形成し、エンボスを菱形格子に配列したもの、比較例３は、円形状のエンボスを形成し、エンボスを矩形格子に配列したものをそれぞれ評価した。
【００３８】
具体的には、実施例１のエンボスＥＭ１１は、図４（ａ）に示すように、長尺な楕円形状であり、且つ、短手方向にくびれ部を有する形状、所謂、ひょうたん形状であって、菱形格子に配列されている。また、実施例２のエンボスＥＭ１１は、図４（ｂ）に示すように、円形状であり、且つ、紙の漉き目の方向及びその直角な方向にくびれ部を有する形状であって、菱形格子に配列されている。
【００３９】
一方、比較例１のエンボスＥＭ１１は、図４（ｃ）に示すように、楕円形状であって、菱形格子に配列され、比較例２のエンボスＥＭ１１は、図４（ｄ）に示すように、円形状であって、菱形格子に配列され、比較例３のエンボスＥＭ１１は、図４（ｅ）に示すように、円形状であって、矩形格子に配列されている。
【００４０】
【表１】
0006622978.tif 000002
【００４１】
総合判定は、３項目の折り位置のうち１つでも「×」がある場合、「×」と評価した。また、エンボスの膨出部の高さは、実施例１〜２、比較例１〜３は全て０．６ｍｍで同じである。
【００４２】
実施例１は、ひょうたん形状のエンボスを形成し、縦横比率が異なるエンボスのため、図１のＡ−Ａ直線、Ｂ−Ｂ直線をそれぞれ折り位置として折った場合は膨出部の頂点同士が完全に当接し、嵩高くなる。図１のＣ−Ｃ直線を折り位置として折った場合もエンボスの短手方向にくびれ部分があり凹凸が重なりにくくなるため、嵩高さを保持できる。また、菱形格子にエンボスが並んでいることで、凹凸が重なる頻度を軽減している。
【００４３】
実施例２は、エンボス形状の縦横比率が同じであるため、実施例１よりは膨出部の頂点の範囲が狭くなるため膨出部の頂点同士が当接しにくくなるが、エンボスにくびれ部があることと、エンボスを菱形格子に配列していることにより、図２（ｃ）に示すような凹凸の完全な重なりを防ぐことができ、嵩高さを保持できる。
【００４４】
なお、比較例１は、実施例１と同様に縦横比率の異なる菱形格子配列のエンボスであるため、膨出部の頂点同士が当接しやすく、凹凸の重なる頻度は少ないが、エンボスのくびれ部がないことにより、実施例２より凹凸の重なりを防ぎにくくなってしまい、嵩高さの効果がやや低くなる。
【００４５】
＜実施条件＞
原紙：パルプ１００％（ＰＶＡ繊維配合の場合は、パルプ９９．５％〜９９．９％、
ＰＶＡ繊維０．１％〜０．５％配合）
秤量（ドライ状態）：９０ｇ／ｍ２（２プライ）
原紙寸法：２３０ｍｍ×３４０ｍｍ
エンボス条件：エンボスＥＭ１１…ＭＤ方向３ｍｍ×ＣＤ方向６ｍｍ（実施例１）
ＭＤ、ＣＤ方向３ｍｍ（実施例２）
ＭＤ方向３ｍｍ×ＣＤ方向６ｍｍ（比較例１）
直径３ｍｍ（比較例２〜比較例３）
ピッチ…ＭＤ方向３ｍｍ、ＣＤ方向５ｍｍ（実施例１）
ＭＤ、ＣＤ方向５ｍｍ（実施例２）
ＭＤ方向３ｍｍ、ＣＤ方向５ｍｍ（比較例１）
ＭＤ、ＣＤ方向３ｍｍ（比較例２〜比較例３）
折り位置：図１のＡ−Ａ直線、Ｂ−Ｂ直線、Ｃ−Ｃ直線（実施例１〜２、比較例１〜３）薬液成分：多価アルコール、界面活性剤、除菌剤、オレンジエキス、シリコーン
【００４６】
トイレクリーナー１００の完成品の使用時において、２枚重ねでの含浸後の嵩高さ、折り位置の効果について官能評価を行った。なお、トイレクリーナー１００は、本実施形態で示した通り、薬液塗布されて濡れた状態になっており、広げて使用する場合を想定して評価した。
【００４７】
２枚重ねでの含浸後の嵩高さの評価においては、図１のＡ−Ａ直線、Ｂ−Ｂ直線、Ｃ−Ｃ直線で折り畳んで、ドライ状態のトイレクリーナー１００に薬液を２００％含浸させ、２枚重ねにした状態の嵩高さを測定して評価した（２枚重ねで薬液含浸した原紙の嵩高さ０．６ｍｍに対して、２枚重ねでの厚みが０．７ｍｍ未満の場合は「×」、０．７〜１．０ｍｍ未満の場合は「△」、１．０ｍｍ〜１．５ｍｍ未満の場合は「○」、１．５ｍｍ以上の場合は「◎」）。
【００４８】
表１に示すように、実施例１〜２は、図１のＡ−Ａ直線、Ｂ−Ｂ直線、Ｃ−Ｃ直線で折り畳んだ場合、いずれの場合も１．０ｍｍ以上で良好であったものの、比較例１は、図１のＡ−Ａ直線、Ｂ−Ｂ直線で折り畳んだ場合、１．０ｍｍ以上となり良好だが、Ｃ−Ｃ直線で折り畳んだ場合では、嵩高さが１．０ｍｍ未満となり折り方の影響を受ける傾向にあった。また、比較例２〜比較例３は、図１のＡ−Ａ直線、Ｂ−Ｂ直線で折り畳んだ場合でも１．０ｍｍ未満であり、折り方を調整しても嵩高さが低い傾向にあった。
【００４９】
このように、互いに隣接するエンボスＥＭ１１を繋ぐ短手方向に平行な直線、或いは、互いに隣接するエンボスＥＭ１１の略中間部分を繋ぐ短手方向に平行な直線を折り目として折り畳んだ場合、エンボスＥＭ１１の膨出部の頂点同士が当接して、折り畳まれた状態でも嵩高さを維持することができる。また、トイレクリーナー１００の長手方向の中心部を折り目として折り曲げないため、折り曲げた際に、端部で折りずれの幅が発生するので
、折り畳まれたトイレクリーナー１００の広げやすさも向上する。
【００５０】
エンボス加工の違いにより、水解性に影響がないか確認するための試験を実施した。試験方法は、ＪＩＳ  Ｐ  ４５０１（２００６）４．５「ほぐれやすさ」に従って測定した。表１に示すように、実施例１〜２、比較例１〜３いずれの場合も、水解性の基準(１００秒以内でほぐれること)を満たしていることを確認した。
【００５１】
以上のように、所定回数折り畳まれた矩形状のトイレクリーナー１００であって、トイレクリーナー１００の全面にエンボスＥＭ１１が長手方向及び短手方向に所定のピッチで配列されて形成され、エンボスＥＭ１１の膨出部の頂点同士が当接するように折り畳まれてなることにより、折り畳んだ際に、エンボスＥＭ１１の膨出部の頂点同士が当接して、一方の側にあるエンボスＥＭ１１の膨出部が他方の側のエンボスがない窪み部分ＣＶ２１に入り込まないので、折り畳まれた状態でも嵩高さを維持することができる家庭用薄葉紙を提供することができる。嵩高さを高めるエンボスで、エンボス加工後に引張ってもエンボスが潰れにくい性質がある。
また、トイレクリーナー１００の長手方向の中心部を折り目として折り曲げないため、折り曲げた際に、端部で折りずれの幅が発生するので、折り畳まれたトイレクリーナー１００の広げやすさも向上する。
【００５２】
なお、本発明の実施形態の説明に際しては、特に図２のエンボス部分の断面図においては、エンボスの膨出部ＰＲ２１の頂点同士が完全に一致して当接する状況が例示されているが、勿論、エンボスの膨出部ＰＲ２１の頂点同士がずれた状態で当接するように折り畳まれるものであってもよい。
【００５３】
すなわち、互いに隣接するエンボスＥＭ１１の裾の部分を通過する短手方向に平行な直線以外の短手方向に平行な直線を折り目として折り畳まれる場合には、エンボスの膨出部ＰＲ２１の頂点同士がずれた状態で当接することになるので、一方の側にあるエンボスＥＭ１１の膨出部が他方の側のエンボスがない窪み部分ＣＶ２１に入り込まず、折り畳まれた状態でも嵩高さを維持することができる。
【００５４】
また、図２におけるエンボスＥＭ１１の膨出部の高さＨＴ２１は、ある程度の高さが必要であり、例えば、０．４０ｍｍ〜０．７５ｍｍであることが好ましい。また、図３におけるエンボスＥＭ３１の膨出部の高さ（不図示）もまた、ある程度の高さが必要であり、例えば、０．４０ｍｍ〜０．７５ｍｍであることが好ましい。
【００５５】
例えば、高さが０．４０ｍｍ未満であると、拭き取り時の摩擦が強くなって、拭き取りがしにくく、折り畳んだ際の嵩高さが得にくく、また、高さが０．７５ｍｍを超えると、包装時にエンボスＥＭ１１及びエンボスＥＭ３１の形状が潰れやすくなってしまう。
【００５６】
また、図１及び図３におけるエンボスＥＭ１１及びエンボスＥＭ３１同士の間隔としては、エンボスの膨出部の中心を基準にして、紙の漉き目の方向（Ｙ方向）に１６ｍｍ、紙の漉き目に直角な方向（Ｘ方向）に８．５ｍｍ程度であることが好ましい。
【００５７】
また、本発明の実施形態の説明に際しては、トイレクリーナー１００は、折り加工されることにより、短手方向（Ｘ方向）に平行な直線を折り目として、２つ折りに折り畳まれるが、勿論、長手方向（Ｙ方向）に平行な直線を折り目として、２つ折りに折り畳まれるものであってもよい。そして、これら折り目の組み合わせによって４つ折りや８つ折りにされるものでも良い。
【００５８】
また、エンボスＥＭ１１は、図１に示すように、トイレクリーナー１００の全面に施さ
れており、各々のエンボスであってＭＤ方向に沿ってカット部を有していてもよい。
【００５９】
具体的には、例えば、エンボス加工は、それぞれ対向する位置に設置され、凸部パターンが形成された上側エンボスロール（不図示）と、凸部パターンと同一の凹部パターンが形成された下側エンボスロール（不図示）によって、トイレクリーナー１００を挟み込むことによりエンボスＥＭ１１を形成することにより行われる。
【００６０】
このようなエンボス加工の際、上側エンボスロールの凸部パターンと下側エンボスロールの凸部パターンの間にトイレクリーナー１００が挟み込まれ、凸部パターンの底辺部分に位置するトイレクリーナー１００に負荷がかかって剪断力によってトイレクリーナー１００が破けることにより、カット部が形成される。
【００６１】
このように形成されたカット部は、ＣＤ方向に沿って伸びている紙の繊維を切断することになるので、トイレクリーナー１００の硬さが緩和されてしなやかさが向上し、拭き取り性能が高くなる。また、ＭＤ方向に伸びている紙の繊維は温存されるため、表面強度を維持することができる。
【００６２】
また、カット部を有するエンボスＥＭ１１は、通常のエンボスの効果を同様に得ることができ、トイレクリーナーの風合い、吸収性及び嵩高性等を向上させることができる。さらに、カット部は外観上目立たないため、通常のエンボスと同様に、エンボスを施すことによる見栄えの良さの効果も得ることができる。
【００６３】
なお、全てのエンボスＥＭ１１にカット部を有する構成ではなく、エンボスＥＭ１１の全てにカット部がなくても、エンボスＥＭ１１のうち一部のエンボスにカット部を有するものであればよく、エンボス加工により家庭用薄葉紙の表面強度を高めると共に、しなやかで拭き取り性能の高いといった効果を奏することができる。
【符号の説明】
【００６４】
１００、１０１  家庭用薄葉紙
ＥＭ１１、ＥＭ３１  エンボス
ＰＲ２１  膨出部
ＣＶ２１  窪み部分
【図１】
0006622978.tif 000003
【図２】
0006622978.tif 000004
【図３】
0006622978.tif 000005
【図４】
0006622978.tif 000006